(57)【要約】【課題】本発明の目的は、４つのノードで、網目構造の通信ネットワークを構築することができるシステムを提供することにある。【解決手段】ブロードキャスト送信によるビーコン手段およびマスター／スレーブ方式による無線接続手段を備える４つのノードの内の、第１ノードは、第２ノード、第３ノード、第４ノードおよび第１端末への第１無線データ送信手段を備え、第２ノードは、第１ノード、第３ノード、第４ノードおよび第２端末への第２無線データ送信手段を備え、第３ノードは、第１ノードおよび第２ノードへの第３無線データ送信手段を備え、第４ノードは、第１ノードおよび第２ノードへの第４無線データ送信手段を備え、第１端末は、第１ノードからの第１無線データ受信手段を備え、第２端末は、第２ノードからの第２無線データ受信手段を備えることを特徴とする。【選択図】図１
2018093517.tif 000002
【特許請求の範囲】
【請求項１】
ブロードキャスト送信によるビーコン手段およびマスター／スレーブ方式による無線接続手段を備える４つのノードの内の、
第１ノードは、第２ノード、第３ノード、第４ノードおよび第１端末への第１無線データ送信手段を備え、
前記第２ノードは、前記第１ノード、前記第３ノード、前記第４ノードおよび第２端末への第２無線データ送信手段を備え、
前記第３ノードは、前記第１ノードおよび前記第２ノードへの第３無線データ送信手段を備え、
前記第４ノードは、前記第１ノードおよび前記第２ノードへの第４無線データ送信手段を備え、
前記第１端末は、前記第１ノードからの第１無線データ受信手段を備え、
前記第２端末は、前記第２ノードからの第２無線データ受信手段を備えるシステムに用いることを特徴とする第１ノード。
【請求項２】
請求項１に記載のシステムに用いることを特徴とする第１端末。
【請求項３】
請求項１に記載のシステムに用いる前記第１無線データ送信手段または前記第１無線データ受信手段を備えることを特徴とする無線通信用集積回路。
【請求項４】
プロセッサを、
請求項１に記載のシステムに用いる前記第１無線データ送信手段または前記第１無線データ受信手段として機能させるための制御プログラム。
【請求項５】
請求項１に記載のシステムに用いる前記第１無線データ送信手段または前記第１無線データ受信手段を備えることを特徴とする無線通信モジュール。
【発明の詳細な説明】
【技術分野】
【０００１】
本発明は、無線通信ノード及び無線通信用集積回路に関する。
【背景技術】
【０００２】
従来、クラスタ通信システムとしてアドホックに形成される通信効率の良い通信ネットワークを構成する通信システムが知られている。例えば、特開２０１０−２６３３４９号公報に記載の技術は、各クラスタには複数の端末装置が含まれ、各クラスタには、上位ノードの端末装置としてヘッドノードもしくはゲートウェイノードが１つ含まれ、その他の端末装置はすべて下位ノードであり、クラスタの上位ノードは、クラスタ内のセンス周期に対する通信時間長の比を管理し、下位ノードは、通信の状態や電源残量などに応じて、適宜ほかのクラスタの上位ノードをセンスして、通信効率が向上するか、省電力に有利か、等を、上位ノードが設定したセンス周期に対する通信時間長の比に基づいて比較し、他の上位ノードが望ましい場合には、上位ノードを切り替える技術が開示されている。
【先行技術文献】
【特許文献】
【０００３】
【特許文献１】特開２０１０−２６３３４９号公報
【発明の概要】
【発明が解決しようとする課題】
【０００４】
ところで、従来の無線通信ノードは、ブロードキャスト送信によるビーコン手段およびマスター／スレーブ方式による無線接続手段を備える４つのノードで、網目構造の無線通信ネットワークを構築することができないと言った問題があった。
【０００５】
そこで、本発明の目的は、ブロードキャスト送信によるビーコン手段およびマスター／スレーブ方式による無線接続手段を備える４つのノードで、網目構造の通信ネットワークを構築することができるシステムを提供することにある。
【課題を解決するための手段】
【０００６】
課題を解決するため本発明のシステムは、ブロードキャスト送信によるビーコン手段およびマスター／スレーブ方式による無線接続手段を備える４つのノード（１）の内の、第１ノード（１ａ）は、第２ノード（１ｂ）、第３ノード（１ｃ）、第４ノード（１ｄ）および第１端末（３）への第１無線データ送信手段を備え、前記第２ノード（１ｂ）は、前記第１ノード（１ａ）、前記第３ノード（１ｃ）、前記第４ノード（１ｄ）および第２端末（３）への第２無線データ送信手段を備え、前記第３ノード（１ｃ）は、前記第１ノード（１ａ）および前記第２ノード（１ｂ）への第３無線データ送信手段を備え、前記第４ノード（１ｄ）は、前記第１ノード（１ａ）および前記第２ノード（１ｂ）への第４無線データ送信手段を備え、前記第１端末（３）は、前記第１ノード（１ａ）からの第１無線データ受信手段を備え、前記第２端末（３）は、前記第２ノード（１ｂ）からの第２無線データ受信手段を備えることを特徴とする。
【発明の効果】
【０００７】
本発明によれば、システムは、ブロードキャスト送信によるビーコン手段およびマスター／スレーブ方式による無線接続手段を備える４つのノードで、網目構造の通信ネットワークを構築することができる。
【図面の簡単な説明】
【０００８】
【図１】実施形態の通信ネットワークシステムの構成図である。
【発明を実施するための形態】
【０００９】
以下、本発明の実施の一形態について詳細に説明する。
【００１０】
図１は実施形態の通信ネットワークシステムの構成図である。通信ネットワークシステムは、クラスタ（図１の点線内）を構築するワイヤレスＵＳＢのホスト通信部Ｈ、クラスタに参加する少なくとも１つ以上のワイヤレスＵＳＢのデバイス通信部Ｄ、ＩＰパケット及びワイヤレスＵＳＢパケットを送受信する図示させていない情報処理部、および各ポートがホスト通信部Ｈとデバイス通信部Ｄと情報処理部に繋がり、ＩＰパケット及びワイヤレスＵＳＢパケットを受信して他のポートへ転送するスイッチ部Ｓを備えるノード装置１と、デバイス通信部Ｄを備え、該デバイス通信部Ｄを介してワイヤレスＵＳＢパケットを送受信する周辺装置２と、デバイス通信部Ｄを備え、該デバイス通信部Ｄを介してＩＰパケット及びワイヤレスＵＳＢパケットを送受信するＩＰ端末３と、から構成され、ノード装置１が複数存在し、１つのクラスタに少なくとも１つ以上のデバイス通信部Ｄが参加可能であり、ノード装置１のデバイス通信部Ｄが他のノード装置１のホスト通信部Ｈが構築したクラスタに参加してクラスタ内通信を行うことで、クラスタ同士が網目構造に接続された通信ネットワークを構築し、周辺装置２とＩＰ端末３のデバイス通信部Ｄが何れか１つのクラスタに参加してクラスタ内通信を行い、クラスタ内で複数のノード装置１、周辺装置２およびＩＰ端末３が共存する。
【００１１】
ノード装置１、周辺装置２、ＩＰ端末３などの装置は、ＣＰＵ、ＲＯＭ、ＲＡＭなどを有するコンピュータ部と、共通のコネクション鍵を備えている。ノード装置１のホスト通信部Ｈとデバイス通信部Ｄは無線送受信部を共有している。ノード装置１とＩＰ端末３は、スイッチ部ＳがＩＰパケット及びワイヤレスＵＳＢパケットを転送することができるため、ＩＰ接続を行うことができる。また、通信ネットワークを介して任意の周辺装置２を接続して利用することができる。スイッチ部Ｓは、Ｌ３スイッチを構成し、ＩＰ通信用とワイヤレスＵＳＢ通信用の２つのＦＤＢ（Forwarding DataBase）などを備え、各ポートから受信したＩＰパケットとワイヤレスＵＳＢパケットを夫々のＦＤＢなどに照らして他のポートへ転送することとなる。
【００１２】
ノード装置１は、自己の識別情報などをクラスタ識別情報とし、該クラスタ識別情報および自己のデバイス通信部Ｄが参加したクラスタのクラスタ識別情報を含むビーコンを自己のホスト通信部Ｈから他のノード装置１に向けてブロードキャスト送信させるとともに、他のノード装置１から受信したビーコンを基に自己のデバイス通信部Ｄを参加させるクラスタを選んでそこに参加させて、自己を含む３つのノード装置１が連環する様に制御する。具体的には、ノード装置１ａの場合に、受信したビーコンを基に一方のデバイス通信部Ｄが、自己を含む３つのノード装置１が連環をなす条件に該当するノード装置１ｂが構築したクラスタを選んで参加し、自己を含む３つのノード装置１ａ、１ｂ、１ｃを連環させるとともに、受信したビーコンを基に他方のデバイス通信部Ｄが自己を含む３つのノード装置１が、連環をなす条件に該当するノード装置１ｄが構築したクラスタを選んで参加し、自己を含む３つのノード装置１ａ、１ｂ、１ｄを連環させることとなる。ここで、ノード装置１は、自己を含む３つのノード装置１が連環を構成する適当なクラスタが見当たらない場合に、自己が接続していない他のノード装置１が構築した任意のクラスタを見付けてそこに参加することとなる。
【００１３】
上記実施形態において、通信ネットワークシステムは、クラスタを構築するとともに、他のクラスタに参加する各ノード装置１から構成され、ノード装置１が少なくとも１つ以上の該他のクラスタに参加してクラスタ内通信を行い、少なくとも１つ以上のノード装置１を参加させた各クラスタ同士が網目状に接続された部分を含む通信ネットワークを構築することを特徴とする。また、クラスタを構築するとともに、他のクラスタに参加する各ノード装置１から構成され、ノード装置１が少なくとも１つ以上の該他のクラスタに参加してクラスタ内通信を行う通信ネットワークを構築し、通信ネットワークが２つ又は３つのクラスタにより、３つのノード装置１が連環された部分を含むことを特徴としてもよい。また、ノード装置１において、自己が構築したクラスタと自己が参加した他のクラスタの識別情報を他のノード装置１に通知する手段と、該他のノード装置１から識別情報を取得し自己を含む３つのノード装置１を連環させる様に自己が他のクラスタに参加する手段を備えることを特徴としてもよい。また、ノード装置１、周辺装置２、ＩＰ端末３がホスト通信部Ｈ、スイッチ部Ｓ、デバイス通信部Ｄなどを備えた通信用集積回路を備え、該通信用集積回路によりホスト通信部Ｈ、スイッチ部Ｓ、デバイス通信部Ｄなどが制御されてノード装置１、周辺装置２、ＩＰ端末３を実現する構成としてもよい。また、ノード装置１が通信ネットワークの端末を構成していてもよい。また、ノード装置１、周辺装置２、ＩＰ端末３としてワイヤレスＵＳＢを用いた装置を用いたがノード装置１、周辺装置２、ＩＰ端末３を、ワイヤレスＵＳＢを用いた装置を問わず、例えば、特開２０１０−２６３３４９号公報の端末装置と同様の構成などとしてもよい。
【００１４】
上記実施形態によれば、通信ネットワークシステムは、クラスタ同士を網目状に接続することができる。
【００１５】
以上の説明においては、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の各装置と同等の作用および効果が得られる。
【００１６】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００１７】
また、インターネット、ＬＡＮ等のネットワークシステムを介して制御プログラムをダウンロードし、インストールして実行するように構成することも可能である。
【符号の説明】
【００１８】
１…ノード装置，２…周辺装置，３…ＩＰ端末，Ｈ…ホスト通信部，Ｄ…デバイス通信部，Ｓ…スイッチ部
【図１】
2018093517.tif 000003
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
マスター／スレーブ方式の無線接続手段を有する第１ノードが前記無線接続手段を有する第２ノード、前記無線接続手段を有する第３ノード、前記無線接続手段を有する第４ノードおよび前記無線接続手段を介し接続した第１端末へのメッセージの第１無線送信手段を有し、前記第２ノードが前記第１ノード、前記第３ノード、前記第４ノードおよび第２端末への前記メッセージの第２無線送信手段を有し、前記第３ノードが前記第１ノードおよび前記第２ノードへの前記メッセージの第３無線送信手段を有し、前記第４ノードが前記第１ノードおよび前記第２ノードへの前記メッセージの第４無線送信手段を有する４つのノードと、
前記第１端末が前記第１ノードからの前記メッセージの第１無線受信手段を有し、前記第２端末が前記第２ノードからの前記メッセージの第２無線受信手段を有する２つの端末と、を備えるシステムに用いることを特徴とする第１ノード。
【請求項２】
請求項１に記載のシステムに用いることを特徴とする第２端末。
【請求項３】
請求項１に記載のシステムに用いる前記第１無線送信手段または前記第２無線受信手段を備えることを特徴とする無線通信用集積回路。
【請求項４】
プロセッサを、
請求項１に記載のシステムに用いる前記第１無線送信手段または前記第２無線受信手段として機能させるための制御プログラム。
【請求項５】
請求項１に記載のシステムに用いる前記第１無線送信手段または前記第２無線受信手段を備えることを特徴とする無線通信モジュール。
【手続補正２】
【補正対象書類名】明細書
【補正対象項目名】０００６
【補正方法】変更
【補正の内容】
【０００６】
課題を解決するために本発明のシステムは、マスター／スレーブ方式の無線接続手段（Ｈ）を有する第１ノード（１ａ）が前記無線接続手段（Ｈ）を有する第２ノード（１ｂ）、前記無線接続手段（Ｈ）を有する第３ノード（１ｃ）、前記無線接続手段（Ｈ）を有する第４ノード（１ｄ）および前記無線接続手段（Ｈ）を介し接続した第１端末（３）へのメッセージの第１無線送信手段を有し、前記第２ノード（１ｂ）が前記第１ノード（１ａ）、前記第３ノード（１ｃ）、前記第４ノード（１ｄ）および第２端末（３）への前記メッセージの第２無線送信手段を有し、前記第３ノード（１ｃ）が前記第１ノード（１ａ）および前記第２ノード（１ｂ）への前記メッセージの第３無線送信手段を有し、前記第４ノード（１ｄ）が前記第１ノード（１ａ）および前記第２ノード（１ｂ）への前記メッセージの第４無線送信手段を有する４つのノード（１）と、前記第１端末（３）が前記第１ノード（１ａ）からの前記メッセージの第１無線受信手段を有し、前記第２端末（３）が前記第２ノード（１ｂ）からの前記メッセージの第２無線受信手段を有する２つの端末（３）と、を備えることを特徴とする。
【手続補正３】
【補正対象書類名】明細書
【補正対象項目名】０００４
【補正方法】変更
【補正の内容】
【０００４】
ところで、従来の無線通信ノードは、第１端末が網目状に結ばれた無線送信手段を構成するマスター／スレーブ方式の無線接続手段を有する４つのノードの内の無線接続手段を介し接続した１つからメッセージを受信することができないと言った問題があった。
【手続補正４】
【補正対象書類名】明細書
【補正対象項目名】０００５
【補正方法】変更
【補正の内容】
【０００５】
そこで、本発明の目的は、第１端末が網目状に結ばれた無線送信手段を構成するマスター／スレーブ方式の無線接続手段を有する４つのノードの内の無線接続手段を介し接続した１つからメッセージを受信することができるシステムを提供することにある。
【手続補正５】
【補正対象書類名】明細書
【補正対象項目名】０００７
【補正方法】変更
【補正の内容】
【０００７】
本発明によれば、システムは、第１端末が網目状に結ばれた無線送信手段を構成するマスター／スレーブ方式の無線接続手段を有する４つのノードの内の無線接続手段を介し接続した１つからメッセージを受信することができる。
【手続補正書】
【提出日】平成30年1月28日(2018.1.28)
【手続補正１】
【補正対象書類名】特許請求の範囲
【補正対象項目名】全文
【補正方法】変更
【補正の内容】
【特許請求の範囲】
【請求項１】
マスター／スレーブ方式の無線接続手段を備える第１ノードが前記無線接続手段を備える第２ノード、前記無線接続手段を備える第３ノード、前記無線接続手段を備える第４ノードおよび前記無線接続手段を介し接続した第１端末へのメッセージの第１無線送信手段を備え、前記第２ノードが前記第１ノード、前記第３ノード、前記第４ノードおよび第２端末への前記メッセージの第２無線送信手段を備え、前記第３ノードが前記第１ノードおよび前記第２ノードへの前記メッセージの第３無線送信手段を備え、前記第４ノードが前記第１ノードおよび前記第２ノードへの前記メッセージの第４無線送信手段を備える４つのノードと、
前記第１端末が前記無線接続手段と、前記第１ノードからの前記メッセージの第１無線受信手段と、を備え、前記第２端末が前記第２ノードからの前記メッセージの第２無線受信手段を備える２つの端末と、を具備するシステムに用いることを特徴とする第１ノード。
【請求項２】
請求項１に記載のシステムに用いることを特徴とする第２端末。
【請求項３】
請求項１に記載のシステムに用いる前記第１無線送信手段または前記第２無線受信手段を備えることを特徴とする無線通信用集積回路。
【請求項４】
プロセッサを、
請求項１に記載のシステムに用いる前記第１無線送信手段または前記第２無線受信手段として機能させるための制御プログラム。
【請求項５】
請求項１に記載のシステムに用いる前記第１無線送信手段または前記第２無線受信手段を備えることを特徴とする無線通信モジュール。
【手続補正２】
【補正対象書類名】明細書
【補正対象項目名】０００６
【補正方法】変更
【補正の内容】
【０００６】
課題を解決するため本発明のシステムは、マスター／スレーブ方式の無線接続手段（Ｈ）を備える第１ノード（１ａ）が前記無線接続手段（Ｈ）を備える第２ノード（１ｂ）、前記無線接続手段（Ｈ）を備える第３ノード（１ｃ）、前記無線接続手段（Ｈ）を備える第４ノード（１ｄ）および前記無線接続手段（Ｈ）を介し接続した第１端末（３）へのメッセージの第１無線送信手段を備え、前記第２ノード（１ｂ）が前記第１ノード（１ａ）、前記第３ノード（１ｃ）、前記第４ノード（１ｄ）および第２端末（３）への前記メッセージの第２無線送信手段を備え、前記第３ノード（１ｃ）が前記第１ノード（１ａ）および前記第２ノード（１ｂ）への前記メッセージの第３無線送信手段を備え、前記第４ノード（１ｄ）が前記第１ノード（１ａ）および前記第２ノード（１ｂ）への前記メッセージの第４無線送信手段を備える４つのノード（１）と、前記第１端末（３）が前記無線接続手段（Ｈ）と、前記第１ノード（１ａ）からの前記メッセージの第１無線受信手段と、を備え、前記第２端末（３）が前記第２ノード（１ｂ）からの前記メッセージの第２無線受信手段を備える２つの端末（３）と、を具備することを特徴とする。
【手続補正３】
【補正対象書類名】明細書
【補正対象項目名】０００４
【補正方法】変更
【補正の内容】
【０００４】
ところで、従来の無線通信ノードは、メッセージを受信する第１端末が、網目状に繋がるメッセージの無線送信手段を提供する４つのノードの内の１つにマスター／スレーブ方式の無線接続手段を介し接続することができないと言った問題があった。
【手続補正４】
【補正対象書類名】明細書
【補正対象項目名】０００５
【補正方法】変更
【補正の内容】
【０００５】
そこで、本発明の目的は、メッセージを受信する第１端末が、網目状に繋がるメッセージの無線送信手段を提供する４つのノードの内の１つにマスター／スレーブ方式の無線接続手段を介し接続することができるシステムを提供することにある。
【手続補正５】
【補正対象書類名】明細書
【補正対象項目名】０００７
【補正方法】変更
【補正の内容】
【０００７】
本発明によれば、システムは、メッセージを受信する第１端末が、網目状に繋がるメッセージの無線送信手段を提供する４つのノードの内の１つにマスター／スレーブ方式の無線接続手段を介し接続することができる。
【手続補正６】
【補正対象書類名】明細書
【補正対象項目名】００１２
【補正方法】変更
【補正の内容】
【００１２】
ノード装置１は、自己の識別情報などをクラスタ識別情報とし、該クラスタ識別情報および自己のデバイス通信部Ｄが参加したクラスタのクラスタ識別情報を含むビーコンを自己のホスト通信部Ｈから他のノード装置１に向けてブロードキャスト送信させるとともに、他のノード装置１から受信したビーコンを基に自己のデバイス通信部Ｄを参加させるクラスタを選んでそこに参加させて、自己を含む３つのノード装置１が連環する様に制御する。具体的には、ノード装置１ａの場合に、受信したビーコンを基に一方のデバイス通信部Ｄが、自己を含む３つのノード装置１が連環をなす条件に該当するノード装置１ｂが構築したクラスタを選んで参加し、自己を含む３つのノード装置１ａ、１ｂ、１ｃを環にさせるとともに、受信したビーコンを基に他方のデバイス通信部Ｄが自己を含む３つのノード装置１が、連環をなす条件に該当するノード装置１ｄが構築したクラスタを選んで参加し、自己を含む３つのノード装置１ａ、１ｂ、１ｄを連環させることとなる。ここで、ノード装置１は、自己を含む３つのノード装置１が連環を構成する適当なクラスタが見当たらない場合に、自己が接続していない他のノード装置１が構築した任意のクラスタを見付けてそこに参加することとなる。
【手続補正書】
【提出日】平成30年2月3日(2018.2.3)
【手続補正１】
【補正対象書類名】特許請求の範囲
【補正対象項目名】全文
【補正方法】変更
【補正の内容】
【特許請求の範囲】
【請求項１】
マスター／スレーブ方式の無線接続手段を備える第１ノードが前記無線接続手段を備える第２ノード、前記無線接続手段を備える第３ノード、前記無線接続手段を備える第４ノードおよび前記無線接続手段を介し接続した第１端末へのメッセージの第１無線送信手段を備え、前記第２ノードが前記第１ノード、前記第３ノード、前記第４ノードおよび第２端末への前記メッセージの第２無線送信手段を備え、前記第３ノードが前記第１ノードおよび前記第２ノードへの前記メッセージの第３無線送信手段を備え、前記第４ノードが前記第１ノードおよび前記第２ノードへの前記メッセージの第４無線送信手段を備える４つのノードと、
前記第１端末が前記無線接続手段と、前記第１ノードからの前記メッセージの第１無線受信手段と、を備え、前記第２端末が前記第２ノードからの前記メッセージの第２無線受信手段を備える２つの端末と、を具備することを特徴とするシステム。
【請求項２】
請求項１に記載のシステムに用いることを特徴とする第１ノード。
【請求項３】
請求項１に記載のシステムに用いることを特徴とする第２端末。
【請求項４】
請求項１に記載のシステムに用いる前記第１無線送信手段または前記第２無線受信手段を備えることを特徴とする無線通信用集積回路。
【請求項５】
プロセッサを、
請求項１に記載のシステムに用いる前記第１無線送信手段または前記第２無線受信手段として機能させるための制御プログラム。
【請求項６】
請求項１に記載のシステムに用いる前記第１無線送信手段または前記第２無線受信手段を備えることを特徴とする無線通信モジュール。
【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
マスター／スレーブ方式の無線接続手段を備える第１ノードが前記無線接続手段を備える第２ノード、前記無線接続手段を備える第３ノードおよび前記無線接続手段を備える第４ノードへのメッセージの第１無線送信手段を備え、前記第２ノードが前記第１ノード、前記第３ノードおよび前記第４ノードへの前記メッセージの第２無線送信手段を備え、前記第３ノードが前記第１ノードおよび前記第２ノードへの前記メッセージの第３無線送信手段を備え、前記第４ノードが前記第１ノードおよび前記第２ノードへの前記メッセージの第４無線送信手段を備える４つのノードを備えて前記メッセージを中継するメッシュ手段と、
前記メッシュ手段の内の前記ノードの何れか１つの前記ノードの前記無線接続手段への接続手段および接続した前記ノードからの前記メッセージの第１無線受信手段を備える第５ノードと、
前記メッシュ手段からの前記メッセージの第２無線受信手段を備える第６ノードと、を具備することを特徴とするシステム。
【請求項２】
請求項１に記載のシステムに用いることを特徴とする第１ノード。
【請求項３】
請求項１に記載のシステムに用いることを特徴とする第６ノード。
【請求項４】
請求項１に記載のシステムに用いる前記第１無線送信手段または前記第２無線受信手段を備えることを特徴とする無線通信用集積回路。
【請求項５】
プロセッサを、
請求項１に記載のシステムに用いる前記第１無線送信手段または前記第２無線受信手段として機能させるための制御プログラム。
【請求項６】
請求項１に記載のシステムに用いる前記第１無線送信手段または前記第２無線受信手段を備えることを特徴とする無線通信用モジュール。
【手続補正２】
【補正対象書類名】明細書
【補正対象項目名】０００６
【補正方法】変更
【補正の内容】
【０００６】
課題を解決するため本発明のシステムは、マスター／スレーブ方式の無線接続手段（Ｈ）を備える第１ノード（１ａ）が前記無線接続手段（Ｈ）を備える第２ノード（１ｂ）、前記無線接続手段（Ｈ）を備える第３ノード（１ｃ）および前記無線接続手段（Ｈ）を備える第４ノード（１ｄ）へのメッセージの第１無線送信手段を備え、前記第２ノード（１ｂ）が前記第１ノード（１ａ）、前記第３ノード（１ｃ）および前記第４ノード（１ｄ）への前記メッセージの第２無線送信手段を備え、前記第３ノード（１ｃ）が前記第１ノード（１ａ）および前記第２ノード（１ｂ）への前記メッセージの第３無線送信手段を備え、前記第４ノード（１ｄ）が前記第１ノード（１ａ）および前記第２ノード（１ｂ）への前記メッセージの第４無線送信手段を備える４つのノード（１）を備えて前記メッセージを中継するメッシュ手段と、前記メッシュ手段の内の前記ノード（１）の何れか１つの前記ノード（１）の前記無線接続手段（Ｈ）への接続手段（Ｄ）および接続した前記ノード（１）からの前記メッセージの第１無線受信手段を備える第５ノード（３）と、前記メッシュ手段からの前記メッセージの第２無線受信手段を備える第６ノード（３）と、を具備することを特徴とする。
【手続補正３】
【補正対象書類名】明細書
【補正対象項目名】０００４
【補正方法】変更
【補正の内容】
【０００４】
ところで、従来の無線通信ノードは、メッセージを無線受信する第５ノードが、メッセージを中継するメッシュ手段の内のメッセージを網目状に無線送信する手段を構成する４つのノードの何れか１つにマスター／スレーブ方式の無線接続手段を介し接続することができないと言った問題があった。
【手続補正４】
【補正対象書類名】明細書
【補正対象項目名】０００５
【補正方法】変更
【補正の内容】
【０００５】
そこで、本発明の目的は、メッセージを無線受信する第５ノードが、メッセージを中継するメッシュ手段の内のメッセージを網目状に無線送信する手段を構成する４つのノードの何れか１つにマスター／スレーブ方式の無線接続手段を介し接続することができるシステムを提供することにある。
【手続補正５】
【補正対象書類名】明細書
【補正対象項目名】０００７
【補正方法】変更
【補正の内容】
【０００７】
本発明によれば、システムは、メッセージを無線受信する第５ノードが、メッセージを中継するメッシュ手段の内のメッセージを網目状に無線送信する手段を構成する４つのノードの何れか１つにマスター／スレーブ方式の無線接続手段を介し接続することができる。
【手続補正７】
【補正対象書類名】明細書
【補正対象項目名】０００１
【補正方法】変更
【補正の内容】
【０００１】
本発明は、システムに関する。
【手続補正書】
【提出日】平成30年2月5日(2018.2.5)
【手続補正１】
【補正対象書類名】特許請求の範囲
【補正対象項目名】請求項１
【補正方法】変更
【補正の内容】
【請求項１】
マスター／スレーブ方式の無線接続手段を備える４つのノードの内の、第１ノードが第２ノード、第３ノードおよび第４ノードへのメッセージの第１無線送信手段を備え、前記第２ノードが前記第１ノード、前記第３ノードおよび前記第４ノードへの前記メッセージの第２無線送信手段を備え、前記第３ノードが前記第１ノードおよび前記第２ノードへの前記メッセージの第３無線送信手段を備え、前記第４ノードが前記第１ノードおよび前記第２ノードへの前記メッセージの第４無線送信手段を備える前記ノードを備えて前記メッセージを中継するメッシュ手段と、
前記メッシュ手段の内の前記ノードの何れか１つの前記ノードの前記無線接続手段への接続手段および前記接続手段により接続した前記ノードからの前記メッセージの第１無線受信手段を備える第５ノードと、
前記メッシュ手段からの前記メッセージの第２無線受信手段を備える第６ノードと、を具備することを特徴とするシステム。
【手続補正２】
【補正対象書類名】明細書
【補正対象項目名】０００６
【補正方法】変更
【補正の内容】
【０００６】
課題を解決するために本発明のシステムは、マスター／スレーブ方式の無線接続手段（Ｈ）を備える４つのノード（１）の内の、第１ノード（１ａ）が第２ノード（１ｂ）、第３ノード（１ｃ）および第４ノード（１ｄ）へのメッセージの第１無線送信手段を備え、前記第２ノード（１ｂ）が前記第１ノード（１ａ）、前記第３ノード（１ｃ）および前記第４ノード（１ｄ）への前記メッセージの第２無線送信手段を備え、前記第３ノード（１ｃ）が前記第１ノード（１ａ）および前記第２ノード（１ｂ）への前記メッセージの第３無線送信手段を備え、前記第４ノード（１ｄ）が前記第１ノード（１ａ）および前記第２ノード（１ｂ）への前記メッセージの第４無線送信手段を備える前記ノード（１）を備えて前記メッセージを中継するメッシュ手段と、前記メッシュ手段の内の前記ノード（１）の何れか１つの前記ノード（１）の前記無線接続手段（Ｈ）への接続手段（Ｄ）および前記接続手段（Ｄ）により接続した前記ノード（１）からの前記メッセージの第１無線受信手段を備える第５ノード（３）と、前記メッシュ手段からの前記メッセージの第２無線受信手段を備える第６ノード（３）と、を具備することを特徴とする。  
【手続補正書】
【提出日】平成30年3月14日(2018.3.14)
【手続補正１】
【補正対象書類名】特許請求の範囲
【補正対象項目名】請求項１
【補正方法】変更
【補正の内容】
【請求項１】
マスター／スレーブ方式の無線接続手段を備える４つのノードの内の、第１ノードが第２ノード、第３ノードおよび第４ノードへのメッセージの第１無線送信手段を備え、前記第２ノードが前記第１ノード、前記第３ノードおよび前記第４ノードへの前記メッセージの第２無線送信手段を備え、前記第３ノードが前記第１ノードおよび前記第２ノードへの前記メッセージの第３無線送信手段を備え、前記第４ノードが前記第１ノードおよび前記第２ノードへの前記メッセージの第４無線送信手段を備える前記ノードを備えて、前記メッセージを中継するメッシュ手段と、
前記メッシュ手段の前記ノードの何れか１つの前記無線接続手段からの前記メッセージの第１無線受信手段を備える第５ノードと、
前記メッシュ手段からの前記メッセージの第２無線受信手段を備える第６ノードと、を具備することを特徴とするシステム。
【手続補正２】
【補正対象書類名】明細書
【補正対象項目名】０００６
【補正方法】変更
【補正の内容】
【０００６】
課題を解決するため本発明のシステムは、マスター／スレーブ方式の無線接続手段（Ｈ）を備える４つのノード（１）の内の、第１ノード（１ａ）が第２ノード（１ｂ）、第３ノード（１ｃ）および第４ノード（１ｄ）へのメッセージの第１無線送信手段を備え、前記第２ノード（１ｂ）が前記第１ノード（１ａ）、前記第３ノード（１ｃ）および前記第４ノード（１ｄ）への前記メッセージの第２無線送信手段を備え、前記第３ノード（１ｃ）が前記第１ノード（１ａ）および前記第２ノード（１ｂ）への前記メッセージの第３無線送信手段を備え、前記第４ノード（１ｄ）が前記第１ノード（１ａ）および前記第２ノード（１ｂ）への前記メッセージの第４無線送信手段を備える前記ノード（１）を備えて、前記メッセージを中継するメッシュ手段と、前記メッシュ手段の前記ノード（１）の何れか１つの前記無線接続手段（Ｈ）からの前記メッセージの第１無線受信手段を備える第５ノード（３）と、前記メッシュ手段からの前記メッセージの第２無線受信手段を備える第６ノード（３）と、を具備することを特徴とする。
【手続補正書】
【提出日】平成30年3月15日(2018.3.15)
【手続補正１】
【補正対象書類名】特許請求の範囲
【補正対象項目名】全文
【補正方法】変更
【補正の内容】
【特許請求の範囲】
【請求項１】
マスター／スレーブ方式の無線接続手段を備える４つのノードの内の、第１ノードが第２ノード、第３ノードおよび第４ノードへのメッセージの第１無線送信手段を備え、前記第２ノードが前記第１ノード、前記第３ノードおよび前記第４ノードへの前記メッセージの第２無線送信手段を備え、前記第３ノードが前記第１ノードおよび前記第２ノードへの前記メッセージの第３無線送信手段を備え、前記第４ノードが前記第１ノードおよび前記第２ノードへの前記メッセージの第４無線送信手段を備える前記ノードを備えて、前記メッセージを中継するメッシュ手段と、
前記メッシュ手段の前記ノードの何れか１つの前記無線接続手段に接続する第５ノードと、
前記メッシュ手段からの前記メッセージの無線受信手段を備える第６ノードと、を具備することを特徴とするシステム。
【請求項２】
請求項１に記載のシステムに用いることを特徴とする第１ノード。
【請求項３】
請求項１に記載のシステムに用いることを特徴とする第６ノード。
【請求項４】
請求項１に記載のシステムに用いる前記第１無線送信手段または前記無線受信手段を備えることを特徴とする無線通信用集積回路。
【請求項５】
プロセッサを、
請求項１に記載のシステムに用いる前記第１無線送信手段または前記無線受信手段として機能させるための制御プログラム。
【請求項６】
請求項１に記載のシステムに用いる前記第１無線送信手段または前記無線受信手段を備えることを特徴とする無線通信用モジュール。
【手続補正２】
【補正対象書類名】明細書
【補正対象項目名】０００６
【補正方法】変更
【補正の内容】
【０００６】
課題を解決するため本発明のシステムは、マスター／スレーブ方式の無線接続手段（Ｈ）を備える４つのノード（１）の内の、第１ノード（１ａ）が第２ノード（１ｂ）、第３ノード（１ｃ）および第４ノード（１ｄ）へのメッセージの第１無線送信手段を備え、前記第２ノード（１ｂ）が前記第１ノード（１ａ）、前記第３ノード（１ｃ）および前記第４ノード（１ｄ）への前記メッセージの第２無線送信手段を備え、前記第３ノード（１ｃ）が前記第１ノード（１ａ）および前記第２ノード（１ｂ）への前記メッセージの第３無線送信手段を備え、前記第４ノード（１ｄ）が前記第１ノード（１ａ）および前記第２ノード（１ｂ）への前記メッセージの第４無線送信手段を備える前記ノード（１）を備えて、前記メッセージを中継するメッシュ手段と、前記メッシュ手段の前記ノード（１）の何れか１つの前記無線接続手段（Ｈ）に接続する第５ノード（３）と、前記メッシュ手段からの前記メッセージの無線受信手段を備える第６ノード（３）と、を具備することを特徴とする。
【手続補正３】
【補正対象書類名】明細書
【補正対象項目名】０００４
【補正方法】変更
【補正の内容】
【０００４】
ところで、従来のクラスタ通信システムは、第５ノードがメッセージを中継するメッシュ手段の４つのノードの何れか１つのマスター／スレーブ方式の無線接続手段に接続することができないと言った問題があった。
【手続補正４】
【補正対象書類名】明細書
【補正対象項目名】０００５
【補正方法】変更
【補正の内容】
【０００５】
そこで、本発明の目的は、第５ノードがメッセージを中継するメッシュ手段の４つのノードの何れか１つのマスター／スレーブ方式の無線接続手段に接続することができるシステムを提供することにある。
【手続補正５】
【補正対象書類名】明細書
【補正対象項目名】０００７
【補正方法】変更
【補正の内容】
【０００７】
本発明によれば、システムは第５ノードがメッセージを中継するメッシュ手段の４つのノードの何れか１つのマスター／スレーブ方式の無線接続手段に接続することができる。
【手続補正書】
【提出日】平成30年3月21日(2018.3.21)
【手続補正１】
【補正対象書類名】特許請求の範囲
【補正対象項目名】全文
【補正方法】変更
【補正の内容】
【特許請求の範囲】
【請求項１】
マスター／スレーブ方式の無線接続手段を備え、送信メッセージを中継するメッシュネットワークを構成する４つのノードの内の、第１ノードが第２ノード、第３ノードおよび第４ノードへの前記送信メッセージの第１無線送信手段と、前記第２ノードが前記第１ノード、前記第３ノードおよび前記第４ノードへの前記送信メッセージの第２無線送信手段と、前記第３ノードが前記第１ノードおよび前記第２ノードへの前記送信メッセージの第３無線送信手段と、前記第４ノードが前記第１ノードおよび前記第２ノードへの前記送信メッセージの第４無線送信手段と、を備える前記ノードと、
前記第１ノード、前記第２ノード、前記第３ノード、前記第４ノードの何れか１つと前記マスター／スレーブ方式で無線接続し、前記メッシュネットワークが中継する前記送信メッセージを受信する第５ノードと、
前記第１ノード、前記第２ノード、前記第３ノード、前記第４ノードの何れか定めた１つと無線通信を行い、受信した前記送信メッセージを中継せず終着させる前記メッシュネットワークの端末手段として機能する第６ノードと、を具備することを特徴とするシステム。
【請求項２】
請求項１に記載のシステムに用いる前記第１ノード、前記第２ノード、前記第３ノードまたは前記第４ノードであることを特徴とする無線通信ノード。
【請求項３】
請求項１に記載のシステムに用いる前記端末手段、或いは、前記端末手段との無線通信手段を備えることを特徴とする無線通信用モジュール。
【手続補正２】
【補正対象書類名】明細書
【補正対象項目名】０００６
【補正方法】変更
【補正の内容】
【０００６】
課題を解決するため本発明のシステムは、マスター／スレーブ方式の無線接続手段（Ｈ）を備え、送信メッセージを中継するメッシュネットワークを構成する４つのノード（１）の内の、第１ノード（１ａ）が第２ノード（１ｂ）、第３ノード（１ｃ）および第４ノード（１ｄ）への前記送信メッセージの第１無線送信手段と、前記第２ノード（１ｂ）が前記第１ノード（１ａ）、前記第３ノード（１ｃ）および前記第４ノード（１ｄ）への前記送信メッセージの第２無線送信手段と、前記第３ノード（１ｃ）が前記第１ノード（１ａ）および前記第２ノード（１ｂ）への前記送信メッセージの第３無線送信手段と、前記第４ノード（１ｄ）が前記第１ノード（１ａ）および前記第２ノード（１ｂ）への前記送信メッセージの第４無線送信手段と、を備える前記ノード（１）と、前記第１ノード（１ａ）、前記第２ノード（１ｂ）、前記第３ノード（１ｃ）、前記第４ノード（１ｄ）の何れか１つと前記マスター／スレーブ方式で無線接続し、前記メッシュネットワークが中継する前記送信メッセージを受信する第５ノード（２）と、前記第１ノード（１ａ）、前記第２ノード（１ｂ）、前記第３ノード（１ｃ）、前記第４ノード（１ｄ）の何れか定めた１つと無線通信を行い、受信した前記送信メッセージを中継せず終着させる前記メッシュネットワークの端末手段として機能する第６ノード（３）と、を具備することを特徴とする。
【手続補正３】
【補正対象書類名】明細書
【補正対象項目名】０００４
【補正方法】変更
【補正の内容】
【０００４】
ところで、従来のクラスタ通信システムは、第５ノードがメッシュネットワークの４つのノードの何れか１つとマスター／スレーブ方式で無線接続し、メッシュネットワークが中継する送信メッセージを受信することができないと言った問題があった。
【手続補正４】
【補正対象書類名】明細書
【補正対象項目名】０００５
【補正方法】変更
【補正の内容】
【０００５】
そこで、本発明の目的は、第５ノードがメッシュネットワークの４つのノードの何れか１つとマスター／スレーブ方式で無線接続し、メッシュネットワークが中継する送信メッセージを受信することができるシステムを提供することにある。
【手続補正５】
【補正対象書類名】明細書
【補正対象項目名】０００７
【補正方法】変更
【補正の内容】
【０００７】
本発明によれば、システムは、第５ノードがメッシュネットワークの４つのノードの何れか１つとマスター／スレーブ方式で無線接続し、メッシュネットワークが中継する送信メッセージを受信することができる。
【手続補正書】
【提出日】平成30年3月21日(2018.3.21)
【手続補正１】
【補正対象書類名】特許請求の範囲
【補正対象項目名】全文
【補正方法】変更
【補正の内容】
【特許請求の範囲】
【請求項１】
マスター／スレーブ方式の無線接続手段と、第１ノードが送信メッセージの第２ノード、第３ノードおよび第４ノードへの第１無線送信手段と、前記第２ノードが前記送信メッセージの前記第１ノード、前記第３ノードおよび前記第４ノードへの第２無線送信手段と、前記第３ノードが前記送信メッセージの前記第１ノードおよび前記第２ノードへの第３無線送信手段と、前記第４ノードが前記送信メッセージの前記第１ノードおよび前記第２ノードへの第４無線送信手段と、を備え、前記送信メッセージを中継するメッシュネットワークを構成する４つのノードと、
前記ノードの何れか１つと前記マスター／スレーブ方式で無線接続し、前記メッシュネットワークが中継する前記送信メッセージを受信する第５ノードと、
前記ノードの何れか定めた１つと無線通信を行い、受信した前記送信メッセージを中継せず終着させる前記メッシュネットワークの端末手段として機能する第６ノードと、を具備することを特徴とするシステム。
【請求項２】
請求項１に記載のシステムに用いる前記第１ノード、前記第２ノード、前記第３ノードまたは前記第４ノードとして前記メッシュネットワークを構成することを特徴とする無線通信ノード。
【請求項３】
請求項１に記載のシステムに用いる前記端末手段、或いは、前記端末手段との無線通信手段を備えることを特徴とする無線通信用モジュール。
【手続補正２】
【補正対象書類名】明細書
【補正対象項目名】０００６
【補正方法】変更
【補正の内容】
【０００６】
課題を解決するため本発明のシステムは、マスター／スレーブ方式の無線接続手段（Ｈ）と、第１ノード（１ａ）が送信メッセージの第２ノード（１ｂ）、第３ノード（１ｃ）および第４ノード（１ｄ）への第１無線送信手段と、前記第２ノード（１ｂ）が前記送信メッセージの前記第１ノード（１ａ）、前記第３ノード（１ｃ）および前記第４ノード（１ｄ）への第２無線送信手段と、前記第３ノード（１ｃ）が前記送信メッセージの前記第１ノード（１ａ）および前記第２ノード（１ｂ）への第３無線送信手段と、前記第４ノード（１ｄ）が前記送信メッセージの前記第１ノード（１ａ）および前記第２ノード（１ｂ）への第４無線送信手段と、を備え、前記送信メッセージを中継するメッシュネットワークを構成する４つのノード（１）と、前記ノード（１）の何れか１つと前記マスター／スレーブ方式で無線接続し、前記メッシュネットワークが中継する前記送信メッセージを受信する第５ノード（２）と、前記ノード（１）の何れか定めた１つと無線通信を行い、受信した前記送信メッセージを中継せず終着させる前記メッシュネットワークの端末手段として機能する第６ノード（３）と、を具備することを特徴とする。
【手続補正３】
【補正対象書類名】明細書
【補正対象項目名】０００４
【補正方法】変更
【補正の内容】
【０００４】
ところで、従来のクラスタ通信システムは、第５ノードがメッシュネットワーク構成する４つのノードの何れか１つとマスター／スレーブ方式で無線接続し、メッシュネットワークが中継する送信メッセージを受信することができないと言った問題があった。
【手続補正４】
【補正対象書類名】明細書
【補正対象項目名】０００５
【補正方法】変更
【補正の内容】
【０００５】
そこで、本発明の目的は、第５ノードがメッシュネットワーク構成する４つのノードの何れか１つとマスター／スレーブ方式で無線接続し、メッシュネットワークが中継する送信メッセージを受信することができるシステムを提供することにある。
【手続補正５】
【補正対象書類名】明細書
【補正対象項目名】０００７
【補正方法】変更
【補正の内容】
【０００７】
本発明によれば、システムは、第５ノードがメッシュネットワーク構成する４つのノードの何れか１つとマスター／スレーブ方式で無線接続し、メッシュネットワークが中継する送信メッセージを受信することができる。
【手続補正書】
【提出日】平成30年3月25日(2018.3.25)
【手続補正１】
【補正対象書類名】特許請求の範囲
【補正対象項目名】全文
【補正方法】変更
【補正の内容】
【特許請求の範囲】
【請求項１】
マスター／スレーブ方式の無線接続手段と、第１ノードが第２ノード、第３ノードおよび第４ノードとの第１無線通信手段と、前記第２ノードが前記第１ノード、前記第３ノードおよび前記第４ノードとの第２無線通信手段と、前記第３ノードが前記第１ノードおよび前記第２ノードとの第３無線通信手段と、前記第４ノードが前記第１ノードおよび前記第２ノードとの第４無線通信手段と、を備え、送信メッセージを中継するメッシュネットワークに備わる前記４つのノードと、
前記ノードの何れか１つと前記マスター／スレーブ方式で無線接続し、前記ノードを備えた前記メッシュネットワークが中継する前記送信メッセージを受信する第５ノードと、
前記ノードの何れか定めた１つと無線通信を行い、受信した前記送信メッセージを中継せず終着させる、前記ノードを備えたメッシュネットワークの端末手段として機能する第６ノードと、を具備することを特徴とするシステム。
【請求項２】
請求項１に記載のシステムに用いる前記第１ノード、前記第２ノード、前記第３ノードまたは前記第４ノードとして前記メッシュネットワークに備わることを特徴とする無線通信ノード。
【請求項３】
請求項１に記載のシステムに用いる前記端末手段、又は、前記端末手段との第５無線通信手段を備えることを特徴とする無線通信用モジュール。
【手続補正２】
【補正対象書類名】明細書
【補正対象項目名】０００６
【補正方法】変更
【補正の内容】
【０００６】
課題を解決するため本発明のシステムは、マスター／スレーブ方式の無線接続手段（Ｈ）と、第１ノード（１ａ）が第２ノード（１ｂ）、第３ノード（１ｃ）および第４ノード（１ｄ）との第１無線通信手段と、前記第２ノード（１ｂ）が前記第１ノード（１ａ）、前記第３ノード（１ｃ）および前記第４ノード（１ｄ）との第２無線通信手段と、前記第３ノード（１ｃ）が前記第１ノード（１ａ）および前記第２ノード（１ｂ）との第３無線通信手段と、前記第４ノード（１ｄ）が前記第１ノード（１ａ）および前記第２ノード（１ｂ）との第４無線通信手段と、を備え、送信メッセージを中継するメッシュネットワークに備わる前記４つのノード（１）と、前記ノード（１）の何れか１つと前記マスター／スレーブ方式で無線接続し、前記ノード（１）を備えた前記メッシュネットワークが中継する前記送信メッセージを受信する第５ノード（２）と、前記ノード（１）の何れか定めた１つと無線通信を行い、受信した前記送信メッセージを中継せず終着させる、前記ノード（１）を備えたメッシュネットワークの端末手段として機能する第６ノード（３）と、を具備することを特徴とする。
【手続補正３】
【補正対象書類名】明細書
【補正対象項目名】０００４
【補正方法】変更
【補正の内容】
【０００４】
ところで、従来のクラスタ通信システムは、第５ノードがメッシュネットワークに備わる４つのノードの何れか１つとマスター／スレーブ方式で無線接続し、メッシュネットワークが中継する送信メッセージを受信することができないと言った問題があった。
【手続補正４】
【補正対象書類名】明細書
【補正対象項目名】０００５
【補正方法】変更
【補正の内容】
【０００５】
そこで、本発明の目的は、第５ノードがメッシュネットワークに備わる４つのノードの何れか１つとマスター／スレーブ方式で無線接続し、メッシュネットワークが中継する送信メッセージを受信することができるシステムを提供することにある。
【手続補正５】
【補正対象書類名】明細書
【補正対象項目名】０００７
【補正方法】変更
【補正の内容】
【０００７】
本発明によれば、システムは、第５ノードがメッシュネットワークに備わる４つのノードの何れか１つとマスター／スレーブ方式で無線接続し、メッシュネットワークが中継する送信メッセージを受信することができる。
【手続補正書】
【提出日】平成30年4月1日(2018.4.1)
【手続補正１】
【補正対象書類名】特許請求の範囲
【補正対象項目名】全文
【補正方法】変更
【補正の内容】
【特許請求の範囲】
【請求項１】
マスター／スレーブ方式を有す無線接続手段と、第１ノードが送信メッセージの第２ノード、第３ノードおよび第４ノードへの第１無線送信手段と、前記第２ノードが前記送信メッセージの前記第１ノード、前記第３ノードおよび前記第４ノードへの第２無線送信手段と、前記第３ノードが前記送信メッセージの前記第１ノードおよび前記第２ノードへの第３無線送信手段と、前記第４ノードが前記送信メッセージの前記第１ノードおよび前記第２ノードへの第４無線送信手段と、を有する前記４つのノードを備え、前記送信メッセージを中継するメッシュネットワークと、
前記メッシュネットワークの前記４つのノードの何れか定めた１つと無線通信を行い、前記メッシュネットワークの前記送信メッセージを中継せず終着させる前記メッシュネットワークの端末手段として機能する第５ノードと、
前記メッシュネットワークの前記４つのノードの何れか１つと無線接続して、前記メッシュネットワークが中継する前記送信メッセージを受信する第６ノードと、を具備することを特徴とするシステム。
【請求項２】
請求項１に記載のシステムに用いる前記第１ノード、前記第２ノード、前記第３ノードまたは前記第４ノードとして前記メッシュネットワークに備わることを特徴とする無線通信ノード。
【請求項３】
請求項１に記載のシステムに用いる前記端末手段または前記端末手段との無線通信手段を備えることを特徴とする無線通信用モジュール。
【手続補正２】
【補正対象書類名】明細書
【補正対象項目名】０００６
【補正方法】変更
【補正の内容】
【０００６】
課題を解決するため本発明のシステムは、マスター／スレーブ方式を有す無線接続手段（Ｈ）と、第１ノード（１ａ）が送信メッセージの第２ノード（１ｂ）、第３ノード（１ｃ）および第４ノード（１ｄ）への第１無線送信手段と、前記第２ノード（１ｂ）が前記送信メッセージの前記第１ノード（１ａ）、前記第３ノード（１ｃ）および前記第４ノード（１ｄ）への第２無線送信手段と、前記第３ノード（１ｃ）が前記送信メッセージの前記第１ノード（１ａ）および前記第２ノード（１ｂ）への第３無線送信手段と、前記第４ノード（１ｄ）が前記送信メッセージの前記第１ノード（１ａ）および前記第２ノード（１ｂ）への第４無線送信手段と、を有する前記４つのノード（１）を備え、前記送信メッセージを中継するメッシュネットワークと、前記メッシュネットワークの前記４つのノード（１）の何れか定めた１つと無線通信を行い、前記メッシュネットワークの前記送信メッセージを中継せず終着させる前記メッシュネットワークの端末手段として機能する第５ノード（３）と、前記メッシュネットワークの前記４つのノード（１）の何れか１つと無線接続して、前記メッシュネットワークが中継する前記送信メッセージを受信する第６ノード（２）と、を具備することを特徴とする。
【手続補正３】
【補正対象書類名】明細書
【補正対象項目名】０００４
【補正方法】変更
【補正の内容】
【０００４】
ところで、従来のクラスタ通信システムは、第５ノードがメッシュネットワークの網目構造をなす４つのノードの何れか定めた１つと無線通信を行い、メッシュネットワークの端末手段として機能することができないと言った問題があった。
【手続補正４】
【補正対象書類名】明細書
【補正対象項目名】０００５
【補正方法】変更
【補正の内容】
【０００５】
そこで、本発明の目的は、第５ノードがメッシュネットワークの網目構造をなす４つのノードの何れか定めた１つと無線通信を行い、メッシュネットワークの端末手段として機能することができるシステムを提供することにある。
【手続補正５】
【補正対象書類名】明細書
【補正対象項目名】０００７
【補正方法】変更
【補正の内容】
【０００７】
本発明によれば、システムは、第５ノードがメッシュネットワークの網目構造をなす４つのノードの何れか定めた１つと無線通信を行い、メッシュネットワークの端末手段として機能することができる。
【手続補正書】
【提出日】平成30年4月6日(2018.4.6)
【手続補正１】
【補正対象書類名】特許請求の範囲
【補正対象項目名】全文
【補正方法】変更
【補正の内容】
【特許請求の範囲】
【請求項１】
マスター・スレーブ接続による無線接続手段を備え、メッセージを無線送信する第１ないし第４ノードの内の、前記第１ノードが前記第２ノード、前記第３ノードおよび前記第４ノードへの前記メッセージの第１無線送信手段を備え、前記第２ノードが前記第１ノード、前記第３ノードおよび前記第４ノードへの前記メッセージの第２無線送信手段を備え、前記第３ノードが前記第１ノードおよび前記第２ノードへの前記メッセージの第３無線送信手段を備え、前記第４ノードが前記第１ノードおよび前記第２ノードへの前記メッセージの第４無線送信手段を備える前記第１ないし第４ノードでなるメッセージ送信手段を構築する構築手段および前記構築手段により構築された前記メッセージ送信手段を有するメッシュネットワークと、
前記メッシュネットワークの前記構築手段により構築された前記メッセージ送信手段をなす前記第１ないし第４ノードの何れか１つのみと通信を行い前記メッシュネットワークの前記メッセージを受信する無線通信手段を有し、前記無線通信手段により受信した前記メッセージを、他へ中継しない前記メッシュネットワークの端末手段として機能する第５ノードと、を具備することを特徴とするシステム。
【請求項２】
請求項１に記載のシステムに用いる前記第１ないし第４ノードの何れか１つである、或いは、前記第５ノードであることを特徴とする無線通信ノード。
【請求項３】
請求項１に記載のシステムに用いる前記無線通信手段を備える、或いは、前記メッシュネットワークの前記メッセージを、前記第５ノードへ無線送信する手段を備えることを特徴とする無線通信モジュール。
【請求項４】
請求項１に記載のシステムに用いる前記無線通信手段を備える、或いは、前記メッシュネットワークの前記メッセージを、前記第５ノードへ無線送信する手段を備えることを特徴とする無線通信集積回路。
【請求項５】
プロセッサを、
請求項１に記載のシステムに用いる前記無線通信手段として機能させる、或いは、前記メッシュネットワークの前記メッセージを、前記第５ノードへ無線送信する手段として機能させるための制御プログラム。
【手続補正２】
【補正対象書類名】明細書
【補正対象項目名】０００６
【補正方法】変更
【補正の内容】
【０００６】
課題を解決するため本発明のシステムは、マスター・スレーブ接続による無線接続手段（Ｈ、Ｄ）を備え、メッセージを無線送信する第１ないし第４ノード（１）の内の、前記第１ノード（１ａ）が前記第２ノード（１ｂ）、前記第３ノード（１ｃ）および前記第４ノード（１ｄ）への前記メッセージの第１無線送信手段を備え、前記第２ノード（１ｂ）が前記第１ノード（１ａ）、前記第３ノード（１ｃ）および前記第４ノード（１ｄ）への前記メッセージの第２無線送信手段を備え、前記第３ノード（１ｃ）が前記第１ノード（１ａ）および前記第２ノード（１ｂ）への前記メッセージの第３無線送信手段を備え、前記第４ノード（１ｄ）が前記第１ノード（１ａ）および前記第２ノード（１ｂ）への前記メッセージの第４無線送信手段を備える前記第１ないし第４ノード（１）でなるメッセージ送信手段を構築する構築手段および前記構築手段により構築された前記メッセージ送信手段を有するメッシュネットワークと、前記メッシュネットワークの前記構築手段により構築された前記メッセージ送信手段をなす前記第１ないし第４ノード（１）の何れか１つのみと通信を行い前記メッシュネットワークの前記メッセージを受信する無線通信手段を有し、前記無線通信手段により受信した前記メッセージを、他へ中継しない前記メッシュネットワークの端末手段として機能する第５ノード（３）と、を具備することを特徴とする。
【手続補正３】
【補正対象書類名】明細書
【補正対象項目名】０００４
【補正方法】変更
【補正の内容】
【０００４】
ところで、従来のクラスタ通信システムは、第１ないし第４ノードの何れか１つのみと無線通信を行いメッシュネットワークのメッセージを受信する無線通信手段により受信したメッセージを、他へ中継しないメッシュネットワークの端末手段として機能する第５ノードを提供することができないと言った問題があった。
【手続補正４】
【補正対象書類名】明細書
【補正対象項目名】０００５
【補正方法】変更
【補正の内容】
【０００５】
そこで、本発明の目的は、第１ないし第４ノードの何れか１つのみと無線通信を行いメッシュネットワークのメッセージを受信する無線通信手段により受信したメッセージを、他へ中継しないメッシュネットワークの端末手段として機能する第５ノードを提供することができるシステムを提供することにある。
【手続補正５】
【補正対象書類名】明細書
【補正対象項目名】０００７
【補正方法】変更
【補正の内容】
【０００７】
本発明によれば、システムは、第１ないし第４ノードの何れか１つのみと無線通信を行いメッシュネットワークのメッセージを受信する無線通信手段により受信したメッセージを、他へ中継しないメッシュネットワークの端末手段として機能する第５ノードを提供することができる。
【手続補正書】
【提出日】平成30年4月15日(2018.4.15)
【手続補正１】
【補正対象書類名】特許請求の範囲
【補正対象項目名】全文
【補正方法】変更
【補正の内容】
【特許請求の範囲】
【請求項１】
マスター・スレーブ接続による無線接続手段を備え、メッセージを無線送信する第１ないし第４ノードの内の、前記第１ノードが前記第２ノード、前記第３ノードおよび前記第４ノードへの前記メッセージの第１無線送信手段を備え、前記第２ノードが前記第１ノード、前記第３ノードおよび前記第４ノードへの前記メッセージの第２無線送信手段を備え、前記第３ノードが前記第１ノードおよび前記第２ノードへの前記メッセージの第３無線送信手段を備え、前記第４ノードが前記第１ノードおよび前記第２ノードへの前記メッセージの第４無線送信手段を備える前記第１ないし第４ノードでなるメッセージ送信手段を構築する構築手段および前記構築手段により構築された前記メッセージ送信手段を有するメッシュネットワークを提供し、
前記メッシュネットワークは、前記構築手段により構築された前記メッセージ送信手段をなす前記第１ないし第４ノードの何れか１つのみと通信を行い前記メッシュネットワークの前記メッセージを受信する無線通信手段を備え、前記無線通信手段により受信した前記メッセージを、他へ中継しない前記メッシュネットワークの端末手段として機能する第５ノードを有することを特徴とするシステム。
【請求項２】
請求項１に記載のシステムに用いる前記第１ないし第４ノードの何れか１つである、或いは、前記第５ノードであることを特徴とする無線通信ノード。
【請求項３】
請求項１に記載のシステムに用いる前記無線通信手段を備える、或いは、前記メッシュネットワークの前記メッセージを、前記第５ノードへ無線送信する手段を備えることを特徴とする無線通信モジュール。
【請求項４】
請求項１に記載のシステムに用いる前記無線通信手段を備える、或いは、前記メッシュネットワークの前記メッセージを、前記第５ノードへ無線送信する手段を備えることを特徴とする無線通信集積回路。
【請求項５】
プロセッサを、
請求項１に記載のシステムに用いる前記無線通信手段として機能させる、或いは、前記メッシュネットワークの前記メッセージを、前記第５ノードへ無線送信する手段として機能させるための制御プログラム。
【手続補正２】
【補正対象書類名】明細書
【補正対象項目名】０００６
【補正方法】変更
【補正の内容】
【０００６】
課題を解決するため本発明のシステムは、マスター・スレーブ接続による無線接続手段（Ｈ、Ｄ）を備え、メッセージを無線送信する第１ないし第４ノード（１）の内の、前記第１ノード（１ａ）が前記第２ノード（１ｂ）、前記第３ノード（１ｃ）および前記第４ノード（１ｄ）への前記メッセージの第１無線送信手段を備え、前記第２ノード（１ｂ）が前記第１ノード（１ａ）、前記第３ノード（１ｃ）および前記第４ノード（１ｄ）への前記メッセージの第２無線送信手段を備え、前記第３ノード（１ｃ）が前記第１ノード（１ａ）および前記第２ノード（１ｂ）への前記メッセージの第３無線送信手段を備え、前記第４ノード（１ｄ）が前記第１ノード（１ａ）および前記第２ノード（１ｂ）への前記メッセージの第４無線送信手段を備える前記第１ないし第４ノード（１）でなるメッセージ送信手段を構築する構築手段および前記構築手段により構築された前記メッセージ送信手段を有するメッシュネットワークを提供し、前記メッシュネットワークは、前記構築手段により構築された前記メッセージ送信手段をなす前記第１ないし第４ノード（１）の何れか１つのみと通信を行い前記メッシュネットワークの前記メッセージを受信する無線通信手段を備え、前記無線通信手段により受信した前記メッセージを、他へ中継しない前記メッシュネットワークの端末手段として機能する第５ノード（３）を有することを特徴とする。
【手続補正３】
【補正対象書類名】明細書
【補正対象項目名】０００４
【補正方法】変更
【補正の内容】
【０００４】
ところで、従来のクラスタ通信システムは、第１ノードが第２ノード、第３ノードおよび第４ノードへのメッセージの第１無線送信手段を備え、第２ノードが第１ノード、第３ノードおよび第４ノードへのメッセージの第２無線送信手段を備え、第３ノードが第１ノードおよび第２ノードへのメッセージの第３無線送信手段を備え、第４ノードが第１ノードおよび第２ノードへのメッセージの第４無線送信手段を備える第１ないし第４ノードでなるメッセージ送信手段を構築する構築手段を提供することができないと言った問題があった。
【手続補正４】
【補正対象書類名】明細書
【補正対象項目名】０００５
【補正方法】変更
【補正の内容】
【０００５】
そこで、本発明の目的は、第１ノードが第２ノード、第３ノードおよび第４ノードへのメッセージの第１無線送信手段を備え、第２ノードが第１ノード、第３ノードおよび第４ノードへのメッセージの第２無線送信手段を備え、第３ノードが第１ノードおよび第２ノードへのメッセージの第３無線送信手段を備え、第４ノードが第１ノードおよび第２ノードへのメッセージの第４無線送信手段を備える第１ないし第４ノードでなるメッセージ送信手段を構築する構築手段を提供することができるシステムを提供することにある。
【手続補正５】
【補正対象書類名】明細書
【補正対象項目名】０００７
【補正方法】変更
【補正の内容】
【０００７】
本発明によれば、システムは、第１ノードが第２ノード、第３ノードおよび第４ノードへのメッセージの第１無線送信手段を備え、第２ノードが第１ノード、第３ノードおよび第４ノードへのメッセージの第２無線送信手段を備え、第３ノードが第１ノードおよび第２ノードへのメッセージの第３無線送信手段を備え、第４ノードが第１ノードおよび第２ノードへのメッセージの第４無線送信手段を備える第１ないし第４ノードでなるメッセージ送信手段を構築する構築手段を提供することができる。
【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
マスター・スレーブ接続による無線接続手段を備え、メッセージを無線送信する第１ないし第４ノードの内の、前記第１ノードが前記第２ノード、前記第３ノードおよび前記第４ノードへの前記メッセージの第１無線送信手段を備え、前記第２ノードが前記第１ノード、前記第３ノードおよび前記第４ノードへの前記メッセージの第２無線送信手段を備え、前記第３ノードが前記第１ノードおよび前記第２ノードへの前記メッセージの第３無線送信手段を備え、前記第４ノードが前記第１ノードおよび前記第２ノードへの前記メッセージの第４無線送信手段を備える前記第１ないし第４ノードでなるメッセージ送信手段を構築する構築手段および前記構築手段により構築された前記メッセージ送信手段を有するメッシュネットワークを構築するシステムであって、
前記メッシュネットワークは、前記メッシュネットワークの前記第１ないし第４ノードの何れか１つのみと無線通信を行い前記メッシュネットワークの前記メッセージを受信する無線通信手段を備え、前記無線通信手段により受信した前記メッセージを、他へ中継しない前記メッシュネットワークの端末手段として機能する第５ノードを有することを特徴とするシステム。
【請求項２】
請求項１に記載のシステムに用いる前記第１ないし第４ノードの何れか１つである、或いは、前記第５ノードであることを特徴とする無線通信ノード。
【請求項３】
請求項１に記載のシステムに用いる前記メッシュネットワークを構築する手段を備えることを特徴とする無線通信モジュール。
【請求項４】
請求項１に記載のシステムに用いる前記メッシュネットワークを構築する手段を備えることを特徴とする無線通信集積回路。
【請求項５】
プロセッサを、
請求項１に記載のシステムに用いる前記メッシュネットワークを構築する手段として機能させるための制御プログラム。
【手続補正２】
【補正対象書類名】明細書
【補正対象項目名】０００６
【補正方法】変更
【補正の内容】
【０００６】
課題を解決するため本発明のシステムは、マスター・スレーブ接続による無線接続手段（Ｈ、Ｄ）を備え、メッセージを無線送信する第１ないし第４ノード（１）の内の、前記第１ノード（１ａ）が前記第２ノード（１ｂ）、前記第３ノード（１ｃ）および前記第４ノード（１ｄ）への前記メッセージの第１無線送信手段を備え、前記第２ノード（１ｂ）が前記第１ノード（１ａ）、前記第３ノード（１ｃ）および前記第４ノード（１ｄ）への前記メッセージの第２無線送信手段を備え、前記第３ノード（１ｃ）が前記第１ノード（１ａ）および前記第２ノード（１ｂ）への前記メッセージの第３無線送信手段を備え、前記第４ノード（１ｄ）が前記第１ノード（１ａ）および前記第２ノード（１ｂ）への前記メッセージの第４無線送信手段を備える前記第１ないし第４ノード（１）でなるメッセージ送信手段を構築する構築手段および前記構築手段により構築された前記メッセージ送信手段を有するメッシュネットワークを構築するシステムであって、前記メッシュネットワークは、前記メッシュネットワークの前記第１ないし第４ノード（１）の何れか１つのみと無線通信を行い前記メッシュネットワークの前記メッセージを受信する無線通信手段を備え、前記無線通信手段により受信した前記メッセージを、他へ中継しない前記メッシュネットワークの端末手段として機能する第５ノード（３）を有することを特徴とする。
【手続補正３】
【補正対象書類名】明細書
【補正対象項目名】０００４
【補正方法】変更
【補正の内容】
【０００４】
ところで、従来のクラスタ通信システムは、第１ノードが第２ノード、第３ノードおよび第４ノードへのメッセージの第１無線送信手段を備え、第２ノードが第１ノード、第３ノードおよび第４ノードへのメッセージの第２無線送信手段を備え、第３ノードが第１ノードおよび第２ノードへのメッセージの第３無線送信手段を備え、第４ノードが第１ノードおよび第２ノードへのメッセージの第４無線送信手段を備える第１ないし第４ノードでなるメッセージ送信手段の構築手段を有するメッシュネットワークの第１ないし第４ノードの何れか１つのみと無線通信を行い、受信したメッセージを、他へ中継しないメッシュネットワークの端末手段として機能する第５ノードを提供することができないと言った問題があった。
【手続補正４】
【補正対象書類名】明細書
【補正対象項目名】０００５
【補正方法】変更
【補正の内容】
【０００５】
そこで、本発明の目的は、第１ノードが第２ノード、第３ノードおよび第４ノードへのメッセージの第１無線送信手段を備え、第２ノードが第１ノード、第３ノードおよび第４ノードへのメッセージの第２無線送信手段を備え、第３ノードが第１ノードおよび第２ノードへのメッセージの第３無線送信手段を備え、第４ノードが第１ノードおよび第２ノードへのメッセージの第４無線送信手段を備える第１ないし第４ノードでなるメッセージ送信手段の構築手段を有するメッシュネットワークの第１ないし第４ノードの何れか１つのみと無線通信を行い、受信したメッセージを、他へ中継しないメッシュネットワークの端末手段として機能する第５ノードを提供することができるシステムを提供することにある。
【手続補正５】
【補正対象書類名】明細書
【補正対象項目名】０００７
【補正方法】変更
【補正の内容】
【０００７】
本発明によれば、システムは、第１ノードが第２ノード、第３ノードおよび第４ノードへのメッセージの第１無線送信手段を備え、第２ノードが第１ノード、第３ノードおよび第４ノードへのメッセージの第２無線送信手段を備え、第３ノードが第１ノードおよび第２ノードへのメッセージの第３無線送信手段を備え、第４ノードが第１ノードおよび第２ノードへのメッセージの第４無線送信手段を備える第１ないし第４ノードでなるメッセージ送信手段の構築手段を有するメッシュネットワークの第１ないし第４ノードの何れか１つのみと無線通信を行い、受信したメッセージを、他へ中継しないメッシュネットワークの端末手段として機能する第５ノードを提供することができる。
【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
マスター・スレーブ方式の無線接続手段を備え、メッセージを無線送信する第１ないし第４ノードでなる網目構造を構成し、第５ノードへ前記メッセージを送信するメッセージ送信手段を構築する構築手段、前記構築手段により構築された前記メッセージ送信手段および前記第５ノードを有するメッシュネットワークを備え、
前記第５ノードは、前記メッセージ送信手段の前記第１ないし第４ノードの何れか１つのみと無線通信を行い、前記メッセージを受信する無線通信手段を備え、前記無線通信手段により受信した前記メッセージを、他へ中継しない前記メッシュネットワークの端末手段として機能することを特徴とするシステム。
【請求項２】
請求項１に記載のシステムに用いる前記第１ないし第４ノードの何れか１つである、或いは、前記第５ノードであることを特徴とする無線通信ノード。
【請求項３】
請求項１に記載のシステムに用いる前記第５ノードと無線通信を行い、前記メッセージを送信する手段、或いは、前記第５ノードの前記無線通信手段を備えることを特徴とする無線通信モジュール。
【請求項４】
請求項１に記載のシステムに用いる前記第５ノードと無線通信を行い、前記メッセージを送信する手段、或いは、前記第５ノードの前記無線通信手段を備えることを特徴とする無線通信集積回路。
【請求項５】
プロセッサを、
請求項１に記載のシステムに用いる前記第５ノードと無線通信を行い、前記メッセージを送信する手段、或いは、前記第５ノードの前記無線通信手段として機能させるための制御プログラム。
【手続補正２】
【補正対象書類名】明細書
【補正対象項目名】０００６
【補正方法】変更
【補正の内容】
【０００６】
課題を解決するため本発明のシステムは、マスター・スレーブ方式の無線接続手段（Ｈ、Ｄ）を備え、メッセージを無線送信する第１ないし第４ノード（１）でなる網目構造を構成し、第５ノード（３）へ前記メッセージを送信するメッセージ送信手段を構築する構築手段、前記構築手段により構築された前記メッセージ送信手段および前記第５ノード（３）を有するメッシュネットワークを備え、前記第５ノード（３）は、前記メッセージ送信手段の前記第１ないし第４ノード（１）の何れか１つのみと無線通信を行い、前記メッセージを受信する無線通信手段を備え、前記無線通信手段により受信した前記メッセージを、他へ中継しない前記メッシュネットワークの端末手段として機能することを特徴とする。
【手続補正３】
【補正対象書類名】明細書
【補正対象項目名】０００４
【補正方法】変更
【補正の内容】
【０００４】
ところで、従来のクラスタ通信システムは、メッセージを無線送信する第１ないし第４ノードでなる網目構造を構成するメッセージ送信手段の第１ないし第４ノードの何れか１つのみと無線通信を行い、受信したメッセージを、他へ中継しないメッシュネットワークの端末手段として機能する第５ノードを提供することができないと言った問題があった。
【手続補正４】
【補正対象書類名】明細書
【補正対象項目名】０００５
【補正方法】変更
【補正の内容】
【０００５】
そこで、本発明の目的は、メッセージを無線送信する第１ないし第４ノードでなる網目構造を構成するメッセージ送信手段の第１ないし第４ノードの何れか１つのみと無線通信を行い、受信したメッセージを、他へ中継しないメッシュネットワークの端末手段として機能する第５ノードを提供することができるシステムを提供することにある。
【手続補正５】
【補正対象書類名】明細書
【補正対象項目名】０００７
【補正方法】変更
【補正の内容】
【０００７】
本発明によれば、システムは、メッセージを無線送信する第１ないし第４ノードでなる網目構造を構成するメッセージ送信手段の第１ないし第４ノードの何れか１つのみと無線通信を行い、受信したメッセージを、他へ中継しないメッシュネットワークの端末手段として機能する第５ノードを提供することができる。
【手続補正書】
【提出日】平成30年4月27日(2018.4.27)
【手続補正１】
【補正対象書類名】特許請求の範囲
【補正対象項目名】全文
【補正方法】変更
【補正の内容】
【特許請求の範囲】
【請求項１】
マスター・スレーブ方式の無線接続手段を保有し、メッセージを無線送信する第１ないし第４ノードでなり、メッシュの内の複数の目をなす部分を含む前記メッシュと、第５ノードと、を有するメッシュネットワークを備え、
前記第５ノードは、前記部分に用いる前記第１ないし第４ノードの何れか１つのみと無線通信を行い、前記メッセージを受信する無線通信手段を備え、前記無線通信手段により受信した前記メッセージを、他へ中継しない前記メッシュネットワークの端末手段として機能することを特徴とするシステム。
【請求項２】
請求項１に記載のシステムに用いる前記第１ないし第４ノードの何れか１つである、或いは、前記第５ノードであることを特徴とする無線通信ノード。
【請求項３】
請求項１に記載のシステムに用いる前記第５ノードと無線通信を行い、前記メッセージを送信する手段、或いは、前記第５ノードの前記無線通信手段を備えることを特徴とする無線通信モジュール。
【請求項４】
請求項１に記載のシステムに用いる前記第５ノードと無線通信を行い、前記メッセージを送信する手段、或いは、前記第５ノードの前記無線通信手段を備えることを特徴とする無線通信集積回路。
【請求項５】
プロセッサを、
請求項１に記載のシステムに用いる前記第５ノードと無線通信を行い、前記メッセージを送信する手段、或いは、前記第５ノードの前記無線通信手段として機能させるための制御プログラム。
【手続補正２】
【補正対象書類名】明細書
【補正対象項目名】０００６
【補正方法】変更
【補正の内容】
【０００６】
課題を解決するために本発明のシステムは、マスター・スレーブ方式の無線接続手段（Ｈ、Ｄ）を保有し、メッセージを無線送信する第１ないし第４ノード（１）でなり、メッシュの内の複数の目をなす部分を含む前記メッシュと、第５ノード（３）と、を有するメッシュネットワークを備え、前記第５ノード（３）は、前記部分に用いる前記第１ないし第４ノード（１）の何れか１つのみと無線通信を行い、前記メッセージを受信する無線通信手段を備え、前記無線通信手段により受信した前記メッセージを、他へ中継しない前記メッシュネットワークの端末手段として機能することを特徴とする。
【手続補正３】
【補正対象書類名】明細書
【補正対象項目名】０００４
【補正方法】変更
【補正の内容】
【０００４】
ところで、従来のクラスタ通信システムは、メッセージを無線送信する第１ないし第４ノードでなり、メッシュの内の複数の目をなす部分に用いる第１ないし第４ノードの何れか１つのみと無線通信を行い、受信したメッセージを、他へ中継しないメッシュネットワークの端末手段として機能する第５ノードを提供することができないと言った問題があった。
【手続補正４】
【補正対象書類名】明細書
【補正対象項目名】０００５
【補正方法】変更
【補正の内容】
【０００５】
そこで、本発明の目的は、メッセージを無線送信する第１ないし第４ノードでなり、メッシュの内の複数の目をなす部分に用いる第１ないし第４ノードの何れか１つのみと無線通信を行い、受信したメッセージを、他へ中継しないメッシュネットワークの端末手段として機能する第５ノードを提供することができるシステムを提供することにある。
【手続補正５】
【補正対象書類名】明細書
【補正対象項目名】０００７
【補正方法】変更
【補正の内容】
【０００７】
本発明によれば、システムは、メッセージを無線送信する第１ないし第４ノードでなり、メッシュの内の複数の目をなす部分に用いる第１ないし第４ノードの何れか１つのみと無線通信を行い、受信したメッセージを、他へ中継しないメッシュネットワークの端末手段として機能する第５ノードを提供することができる。
【手続補正書】
【提出日】平成30年4月28日(2018.4.28)
【手続補正１】
【補正対象書類名】特許請求の範囲
【補正対象項目名】全文
【補正方法】変更
【補正の内容】
【特許請求の範囲】
【請求項１】
マスター・スレーブ方式の無線接続手段を保有し、メッセージを無線送信する第１ないし第４ノードでなり、メッシュの内の複数の目をなす部分を含む前記メッシュと、第５ノードと、を有するメッシュネットワークを提供し、
前記第５ノードは、前記部分に用いる前記第１ないし第４ノードの何れか１つのみと無線通信を行い、前記メッセージを受信する無線通信手段を備え、前記無線通信手段により受信した前記メッセージを、他へ中継しない前記メッシュネットワークの端末手段として機能することを特徴とするシステム。
【請求項２】
請求項１に記載のシステムに用いる前記第１ないし第４ノードの何れか１つである、或いは、前記第５ノードであることを特徴とする無線通信ノード。
【請求項３】
請求項１に記載のシステムに用いる前記第５ノードと無線通信を行い、前記メッセージを送信する手段、或いは、前記第５ノードの前記無線通信手段を備えることを特徴とする無線通信モジュール。
【請求項４】
請求項１に記載のシステムに用いる前記第５ノードと無線通信を行い、前記メッセージを送信する手段、或いは、前記第５ノードの前記無線通信手段を備えることを特徴とする無線通信集積回路。
【請求項５】
プロセッサを、
請求項１に記載のシステムに用いる前記第５ノードと無線通信を行い、前記メッセージを送信する手段、或いは、前記第５ノードの前記無線通信手段として機能させるための制御プログラム。
【手続補正２】
【補正対象書類名】明細書
【補正対象項目名】０００６
【補正方法】変更
【補正の内容】
【０００６】
課題を解決するために本発明のシステムは、マスター・スレーブ方式の無線接続手段（Ｈ、Ｄ）を保有し、メッセージを無線送信する第１ないし第４ノード（１）でなり、メッシュの内の複数の目をなす部分を含む前記メッシュと、第５ノード（３）と、を有するメッシュネットワークを提供し、前記第５ノード（３）は、前記部分に用いる前記第１ないし第４ノード（１）の何れか１つのみと無線通信を行い、前記メッセージを受信する無線通信手段を備え、前記無線通信手段により受信した前記メッセージを、他へ中継しない前記メッシュネットワークの端末手段として機能することを特徴とする。
【手続補正３】
【補正対象書類名】明細書
【補正対象項目名】０００４
【補正方法】変更
【補正の内容】
【０００４】
ところで、従来のクラスタ通信システムは、メッセージを無線送信する第１ないし第４ノードでなり、メッシュの内の複数の目をなす部分に用いる第１ないし第４ノードの何れか１つのみと無線通信を行い、受信したメッセージを、他へ中継しないメッシュネットワークの端末手段として機能する第５ノードを提供することができないと言った問題があった。
【手続補正４】
【補正対象書類名】明細書
【補正対象項目名】０００５
【補正方法】変更
【補正の内容】
【０００５】
そこで、本発明の目的は、メッセージを無線送信する第１ないし第４ノードでなり、メッシュの内の複数の目をなす部分に用いる第１ないし第４ノードの何れか１つのみと無線通信を行い、受信したメッセージを、他へ中継しないメッシュネットワークの端末手段として機能する第５ノードを提供することができるシステムを提供することにある。
【手続補正５】
【補正対象書類名】明細書
【補正対象項目名】０００７
【補正方法】変更
【補正の内容】
【０００７】
本発明によれば、システムは、メッセージを無線送信する第１ないし第４ノードでなり、メッシュの内の複数の目をなす部分に用いる第１ないし第４ノードの何れか１つのみと無線通信を行い、受信したメッセージを、他へ中継しないメッシュネットワークの端末手段として機能する第５ノードを提供することができる。